(57)【特許請求の範囲】
【請求項１】
押釦開口窓を形成した箱型の外枠カバー体と、押操作部に取付片を延設した押釦ハンドルとを組み合せ、押釦ハンドルの押操作部を上記外枠カバー体の押釦開口窓より露見させると共に、上記取付片を外枠カバー体の内面側に位置するようにして組み付けた玄関先の呼出チャイム用操作器において、
上記押釦ハンドルの取付片とは反対側の端面に複数の棚状穴部を形成していることを特徴とする玄関先の呼出チャイム用操作器。
【請求項２】
請求項１において、
上記棚状穴部の押操作部の裏面側に位置する縁部には、前記棚状穴部の奥側から開口側に向かって、該開口部が広がるように面取テーパ部を形成していることを特徴とする玄関先の呼出チャイム用操作器。
【請求項３】
請求項１又は２のいずれかにおいて、
上記外枠カバー体の上記棚状穴部の開口側に位置される内壁部が、上記外枠カバー体の空間部が、その押釦開口窓から裏面側に向けて広がるように傾斜テーパ面を形成していることを特徴とする玄関先の呼出チャイム用操作器。
【請求項４】
請求項１〜３のいずれかにおいて、
上記押釦ハンドルは、操作凹部を形成した押操作部の下方に基部を段状に形成するとともに、上記押操作部には、上記基部より突出して上記押釦開口窓より露出する周縁を形成しており、この周縁と上記押釦開口窓の周縁との間には、接点部をオフからオンにするまでの押釦ハンドルの押操作量よりも大きい隙間を形成していることを特徴とする玄関先の呼出チャイム用操作器。
【請求項５】
請求項４において、
上記押操作部の周縁から、その裏面側に向かってテーパ状の面取部を更に設け、段状の基部を形成していることを特徴とする玄関先の呼出チャイム用操作器。
【請求項６】
請求項１〜５のいずれかにおいて、
上記外枠カバー体と押釦ハンドルが合成樹脂で各々一体成形されて、上記押釦ハンドルの取付片には複数の孔部を設けるとともに、上記外枠カバー体の覆蓋部の内面には上記孔部に嵌入する複数の突起を突出させ、この突起を上記孔部より嵌入し突出させてから熱圧着することによって、上記押釦ハンドルを上記外枠カバー体に一体的に組み付けた構造としたことを特徴とする玄関先の呼出チャイム用操作器。
【発明の詳細な説明】
【０００１】
【発明の属する技術分野】
本発明は、玄関口等に設置される呼出チャイム用操作器に関する。
【０００２】
【従来の技術】
一般に、呼出チャイム用操作器Ａを例にとって説明すると、この操作器Ａは、図４に示すように、押釦開口窓ａを形成した箱型の外枠カバー体ｂと、押操作部ｃに取付片ｄを延設した押釦ハンドルｅとを組み合せ、押釦ハンドルｅの押操作部ｃを外枠カバー体ｂの押釦開口窓ａより露見させるようにして組み付けた構成となっている。尚、押釦ハンドルｅは、図５に示したように、取付片ｄを外枠カバー体ｂの内側に固着して取付けられる。
【０００３】
【発明が解決しようとする課題】
ところが、上記のような構成の呼出チャイム用操作器は、押釦ハンドルｅが外枠カバー体ｂの押釦開口窓ａより露見した構造になっているため、寒冷地などでは、雨やみぞれが降った後や結露した時に、図５に示すように、外枠カバー体ｂと押釦ハンドルｅとの間の隙間に水が溜まり、この水が凍って氷ｆになり、押釦ハンドルｅを操作できなくなることがあった。
【０００４】
本発明は、上記従来の問題に鑑みてなされたものであって、外枠カバー体と押釦ハンドルとの隙間に氷が付着しにくく、万一氷が付着した場合でも押釦ハンドルを押操作すれば、容易に付着した氷を破壊することができる玄関先の呼出チャイム用操作器を提供することを目的としている。
【０００５】
【課題を解決するための手段】
本発明は、上記目的を達成するために提案されたものであって、請求項１の玄関先の呼出チャイム用操作器は、押釦開口窓を形成した箱型の外枠カバー体と、押操作部に取付片を延設した押釦ハンドルとを組み合せ、押釦ハンドルの押操作部を上記外枠カバー体の押釦開口窓より露見させると共に、上記取付片を外枠カバー体の内面側に位置するようにして組み付けた玄関先の呼出チャイム用操作器において、上記押釦ハンドルの取付片とは反対側の端面に複数の棚状穴部を形成している。
【０００６】
また、請求項２〜５においては、請求項１の基本構造に更に、次のような構造的特徴が加えられている。請求項２では、上記棚状穴部の押操作部の裏面側に位置する縁部には、前記棚状穴部の奥側から開口側に向かって、該開口部が広がるように面取テーパ部を形成しており、請求項３では上記外枠カバー体の上記棚状穴部の開口側に位置される内壁部が、上記外枠カバー体の空間部が、その押釦開口窓から裏面側に向けて広がるように傾斜テーパ面を形成している。
【０００７】
また、請求項４では、上記押釦ハンドルは、操作凹部を形成した押操作部の下方に基部を段状に形成するとともに、上記押操作部には、上記基部より突出して上記押釦開口窓より露出する周縁を形成し、この周縁と上記押釦開口窓の周縁との間には、接点部をオフからオンにするまでの押釦ハンドルの押操作量よりも大きい隙間を形成した構造とされており、請求項５では、請求項４において、押操作部の周縁から、その裏面側に向かってテーパ状の面取部を更に設け、段状の基部を形成している。
【０００８】
また、請求項６は、請求項１〜５の基本構造に加えて、押釦操作器の組立作業を容易にしたもので、外枠カバー体と押釦ハンドルとを合成樹脂で各々一体成形し、押釦ハンドルの取付片には複数の孔部を設け、外枠カバー体の覆蓋部の内面には、対応した突起を設けており、更に請求項７では、押釦操作器として、玄関先に設置される呼出チャイム用操作器を提案している。
【０００９】
【発明の実施の形態】
以下、本発明に係る玄関先の呼出チャイム用操作器の実施の形態について、図面を参照しつつ説明する。尚、本実施の形態では、玄関先の呼出チャイム用操作器として玄関先に設置される呼出チャイム用操作器について説明するが、本発明はこれに限らず、照明、電源その他の押釦操作器にも適用できるものである。
【００１０】
チャイム用操作器１は、図１〜図３に示すように、押釦開口窓２ａを形成した箱型の外枠カバー体２と、押操作部３ａに取付片３ｂを延設した押釦ハンドル３とを組み合せ、押釦ハンドル３の押操作部３ａを外枠カバー体２の押釦開口窓２ａより露見させるようにして組み付けたものである。
箱型の外枠カバー体２と押釦ハンドル３は各々合成樹脂の一体成形によって形成されており、箱型の外枠カバー体２の覆蓋部２ｂの裏面には、押釦ハンドル３の取付片３ｂに形成された３つの孔部３ｃに挿入して押釦ハンドル３を取付けるための３つの突起２ｃが形成されている。
【００１１】
また、外枠カバー体２の裏側開口２ｄには、図２に示すように、チャイムを鳴動させる接点部４を有したスイッチ回路を実装したボディ５を嵌め入れるようになっている。この接点部４は、いつもはオフ状態となっているが、押釦ハンドル３の押操作部３ａに形成された円状の操作凹部３ｄを押操作することによって、押操作部３ａの基部３ｅの裏面で接点部を押圧してチャイムが鳴動されるようになっている。
【００１２】
押釦ハンドル３は図２に示すように、弓なりに弾性変形させて取付けているので、接点部４は弾性力がなくてもよい。押釦ハンドル３の弾性力がこれに作用する。
押釦ハンドル３の下端には複数の棚状穴部３ｆが形成され、この棚状穴部３ｆの下端には、押釦開口窓２ａの内方に向かって広がる面取テーパ部３ｇが形成されており、押釦開口窓２ａの下端部には、内方に向かって広がる傾斜テーパ面２ｅが形成されている。また、押釦ハンドル３は、操作凹部３ｄを形成した押操作部３ａの下方に基部３ｅを段状に形成するとともに、押操作部３ａには、基部３ｅより突出して押釦開口窓２ａより露出する周縁３ｉを形成しており、この周縁３ｉと押釦開口窓２ａの周縁２ｆとの間には、押釦ハンドル３の押操作量つまり押釦ハンドル３を押操作して、接点部４をオフからオンにするまでの押釦ハンドル３の変化量よりも大きい隙間Ｈを保持するようになされている。更に、押操作部３ａの周縁３ｉには、押釦開口窓２ａに向かって小さくなるテーパ状の面取部３ｊが形成されている。
【００１３】
次に上記のように構成されたチャイム用操作器１の作用について説明する。
押釦ハンドル３の下端には複数の棚状穴部３ｆが形成されているので、押釦ハンドル３と外枠カバー体２の隙間Ｈには氷が形成されにくい。
また、棚状穴部３ｆの下端には、押釦開口窓２ａの内方に向かって広がる面取テーパ部３ｇが形成されているので、この部分に氷が付着しても押釦ハンドル３を押操作することによって容易に剥がれる。
【００１４】
更に、押釦開口窓２ａの下端部には、内方に向かって広がる傾斜テーパ面２ｅが形成されているので、チャイム用操作器１の内部に水が浸入してもこの傾斜テーパ面２ｅを伝って外部に流出しやすい。
押操作部３ａの周縁３ｉと押釦開口窓２ａの周縁２ｆの間に押釦ハンドル３の押操作量よりも大きい隙間Ｈを形成しているので、押釦ハンドル３と押釦開口窓２ａの周縁２ｆとの間には氷が付着しにくく、更に押操作部３ａの周縁３ｉを、押釦開口窓２ａに向かって小さくなるテーパ状の面取部３ｊを形成すれば一層効果的である。
【００１５】
また、外枠カバー体２と押釦ハンドル３が合成樹脂で各々一体成形されており、外枠カバー体２の覆蓋部２ｂの裏面に一体に形成された３つの突起２ｃを押釦ハンドル３の取付片３ｂに形成された３つの穴部３ｃより突出させ、突出した部分を熱圧着するだけで押釦ハンドル３を外枠カバー体２に取付けできるので、接着やビス止めが不要であり、製造、組立ても容易である。
【００１６】
【発明の効果】
以上説明したように、本発明の玄関先の呼出チャイム用操作器によれば、押釦ハンドルの取付片とは反対側の端面に複数の棚状穴部を形成しているので、押釦ハンドルと外枠カバー体との隙間には氷が形成されにくく、寒冷地における氷着による操作不能は解消される。
【００１７】
更に、請求項２〜５のいずれか、あるいはこれらを組み合わせることによって、水が浸入しにくく且つ氷が付着しにくい押釦操作器が提供でき、隙間に氷が付着したとしても、この氷を容易に破壊して剥がすことができる。請求項６の玄関先の呼出チャイム用操作器によれば、外枠カバー体と押釦ハンドルが合成樹脂で各々一体成形されており、突起を孔部に嵌入し熱圧着させるだけで外枠カバー体と押釦ハンドルとを組み付けることができ、玄関先の呼出チャイム用操作器の製造を簡単且つ容易に行うことができ、製造コストの低減を図ることができる。
【００１８】
請求項７の呼出チャイム用操作器によれば、寒冷地に設置した場合であっても呼出チャイム用操作器に氷が付着することを防ぐことができ、万一氷が付着してもこの氷を容易に剥がすことができるので有益である。
【図面の簡単な説明】
【図１】本発明に係る電気機器の押釦操作器の一実施の形態である呼出チャイム用操作器の分解斜視図である。
【図２】呼出チャイム用操作器の組立て構造を示す側面図である。
【図３】呼出チャイム用操作器の内部構造を示す分解した状態の縦断面図である。
【図４】従来の呼出チャイム用操作器の分解斜視図である。
【図５】従来の呼出チャイム用操作器に氷が付着した状態を示す側面図である。
【符号の説明】
１          チャイム用操作器（電気機器の押釦操作器）
２          外枠カバー体
２ａ        押釦開口窓２ａ
２ｅ        傾斜テーパ面
２ｆ        周縁
３          押釦ハンドル
３ａ        押操作部
３ｂ        取付片
３ｄ        操作凹部
３ｅ        基部
３ｆ        棚状穴部
３ｇ        面取テーパ部
３ｉ        周縁
３ｊ        面取部
４          接点部
Ｈ          隙間
【図１】
0003786218.tif 000002
【図２】
0003786218.tif 000003
【図３】
0003786218.tif 000004
【図４】
0003786218.tif 000005
【図５】
0003786218.tif 000006